(57)【要約】【課題】簡単かつ直感的な操作で、所望の区分文章音声データを迅速に聴くことができる音声再生システムを提供する【解決手段】体系的な文章を区分けしてなる複数の区分文章を区分文章毎に音声で再生する再生器５０と、この再生器５０に対して前記区分文章の再生を指示する指示具１０とを備え、指示具１０は、前記複数の区分文章をそれぞれ指標する複数のインデックスと、前記各インデックスに対となって設けられた複数の識別体２６とを備え、再生器５０は、識別体２６を読み取る読取部５１と、前記複数のインデックスにそれぞれ指標され、かつ、前記各インデックスに対となった識別体２６にそれぞれ対応付けられた複数の区分文章音声データ５６を記憶する記憶部５２と、読取部５１が読み取った識別体２６に対応付けられた前記区分文章音声データ５６を判定し、判定した区分文章音声データ５６を音声再生部５３に供給する制御部５４とを備えることを特徴とする。【選択図】図１
0003156332.tif 000002
【実用新案登録請求の範囲】
【請求項１】
体系的な文章を区分けしてなる複数の区分文章を該区分文章毎に音声で再生する再生器と、
この再生器に対して前記区分文章の再生を指示する指示具とを備え、
前記指示具は、
前記複数の区分文章をそれぞれ指標する複数のインデックスと、
前記各インデックスに対となって設けられた複数の識別体とを備え、
前記再生器は、
前記識別体を読み取る読取部と、
前記複数のインデックスにそれぞれ指標され、かつ、前記各インデックスに対となった前記識別体にそれぞれ対応付けられた複数の区分文章音声データを記憶する記憶部と、
前記区分文章音声データに基づいて音声を再生する音声再生部と、
前記読取部が読み取った前記識別体に対応付けられた前記区分文章音声データを判定し、判定した前記区分文章音声データを前記音声再生部に供給する制御部とを備えることを特徴とする音声再生システム。
【請求項２】
前記指示具は、少なくとも前記体系的な文章の表題を表示した書誌表示部を備えることを特徴とする請求項１に記載の音声再生システム。
【請求項３】
前記指示具は、対となった前記インデックスと前記識別体とを示唆する示唆情報を有していることを特徴とする請求項１又は２に記載の音声再生システム。
【請求項４】
前記指示具は、前記複数のインデックスが一覧になったインデックス一覧部を備えることを特徴とする請求項１から３に記載のうちいずれか一項に記載の音声再生システム。
【請求項５】
前記指示具は、前記複数の識別体が一覧になった識別体一覧部を備えることを特徴とする請求項１から４に記載のうちいずれか一項に記載の音声再生システム。
【請求項６】
前記再生器の記憶部は、複数の前記体系的な文章の各区分文章音声データを記憶しており、
前記指示具は、前記複数のインデックスと、前記複数の識別体と、少なくとも前記体系的な文章の表題を表示した書誌表示部を前記体系的な文章毎に区画していることを特徴とする請求項１から５に記載のうちいずれか一項に記載の音声再生システム。
【請求項７】
前記再生器は、前記記憶部が交換可能であることを特徴とする請求項１から６のうちいずれか一項に記載の音声再生システム。
【請求項８】
前記識別体は、ドットコードを備えることを特徴とする請求項１から７のうちいずれか一項に記載の音声再生システム。
【請求項９】
前記区分文章音声データは、音声の再生時間が１０〜２０分となるように設定されていることを特徴とする請求項１から８のうちいずれか一項に記載の音声再生システム。
【考案の詳細な説明】
【技術分野】
【０００１】
本考案は、音声再生システムに関するものである。
【背景技術】
【０００２】
従来、書籍の文章を音声出力して、書籍の内容を聴力により認識することができるようにした音声再生装置が知られている。この音声再生装置は、例えば、娯楽を目的として文学作品を朗読するものや学習を目的として学習書の内容を朗読するものがある。このような音声再生装置は、視力の弱い者や手の不自由な者等が書籍内容の理解を容易に図ることができる手段として好適である（例えば、下記特許文献１）。
【先行技術文献】
【特許文献】
【０００３】
【特許文献１】特開平６−３０８９９２号公報
【考案の概要】
【考案が解決しようとする課題】
【０００４】
ところで、上記従来の音声再生装置は、書籍の内容を複数のチャプター毎に区切っていることが通常であるが、特定のチャプターを聴きたい場合には、使用者が操作ボタン等で所望のチャプターを選択する必要がある。
しかしながら、従来の技術では、操作に不慣れな者や障害を有する者が、聴きたいチャプターを迅速に特定するのが困難であるという問題があった。
【０００５】
本考案は、上述した事情に鑑みてなされたものであり、簡単かつ直感的な操作で、所望の区分文章音声データを迅速に聴くことができる音声再生システムを提供することを目的とするものである。
【課題を解決するための手段】
【０００６】
本考案は、上記課題を解決するために以下の手段を採用する。
すなわち、本考案は、体系的な文章を区分けしてなる複数の区分文章を該区分文章毎に音声で再生する再生器と、この再生器に対して前記区分文章の再生を指示する指示具とを備え、前記指示具は、前記複数の区分文章をそれぞれ指標する複数のインデックスと、前記各インデックスに対となって設けられた複数の識別体とを備え、前記再生器は、前記識別体を読み取る読取部と、前記複数のインデックスにそれぞれ指標され、かつ、前記各インデックスに対となった前記識別体にそれぞれ対応付けられた複数の区分文章音声データを記憶する記憶部と、前記区分文章音声データに基づいて音声を再生する音声再生部と、前記読取部が読み取った前記識別体に対応付けられた前記区分文章音声データを判定し、判定した前記区分文章音声データを前記音声再生部に供給する制御部とを備えることを特徴とする。
この構成によれば、指示具が、区分文章をそれぞれ指標する複数のインデックスと、各インデックスに対となって設けられた複数の識別体とを備え、再生器が、読み取った識別体に対応付けられた区分文章の音声を再生するので、インデックスの指標に基づいて使用者が所望の区分文章を直感的に判断することができ、この判断による選択動作としてインデックスと対となった識別体を読取部で読み取ることで、所望の区分文章が即時に音声で再生されることとなる。これにより、簡単かつ直感的な操作で、所望の区分文章をの音声を迅速に聴くことができる。
【０００７】
また、前記指示具は、少なくとも前記体系的な文章の表題を表示した書誌表示部を備えることを特徴とする。
この構成によれば、表題表示体を備えるので、体系的な文章の内容を明確に認識することができる。
【０００８】
また、前記指示具は、対となった前記インデックスと前記識別体とを示唆する示唆情報を有していることを特徴とする。
この構成によれば、示唆情報を有するので、対となったインデックスと識別体とを明確に認識することができる。
【０００９】
また、前記指示具は、前記複数のインデックスが一覧になったインデックス一覧部を備えることを特徴とする。
この構成によれば、複数のインデックスが一覧になったインデックス一覧部を備えるので、複数のインデックスの全体構成を容易に把握することができ、所望の区分文章を直感的に確認・特定することができる。
【００１０】
また、前記指示具は、前記複数の識別体が一覧になった識別体一覧部を備えることを特徴とする。
この構成によれば、複数の識別体の配置構成を使用者が容易に把握することができ、識別体の選択動作がさらに容易になる。
【００１１】
また、前記再生器の記憶部は、複数の前記体系的な文章の各区分文章音声データを記憶しており、前記指示具は、前記複数のインデックスと、前記複数の識別体と、少なくとも前記体系的な文章の表題を表示した書誌表示部を前記体系的な文章毎に区画していることを特徴とする。
この構成によれば、再生器が複数の体系的な文章の各区分文章音声データを記憶しており、指示具が、インデックスと、識別体と、書誌表示部とを体系的な文章毎に区画しているので、簡単かつ直感的な操作で、複数の体系的な文章を聴覚により認識することができる。
【００１２】
前記再生器は、前記記憶部が交換可能であることを特徴とする。
この構成によれば、記憶部を交換することにより、複数の体系的な文章を楽しむことができる。
【００１３】
また、前記識別体は、ドットコードを備えることを特徴とする。
この構成によれば、識別体がドットコードを備えるので、識別情報を多くすることができると共に、ドットコードを目立たないように用いて意匠的効果を高めることができる。
【００１４】
また、前記区分文章音声データは、音声の再生時間が１０〜２０分となるように設定されていることを特徴とする。
この構成によれば、区分文章音声データが、音声の再生時間が１０〜２０分となるように設定されているので、各区分文章の音声を使用者が集中して聞くことができる。
【考案の効果】
【００１５】
本考案によれば、簡単かつ直感的な操作で、所望の区分文章を迅速に聴くことができる。
【図面の簡単な説明】
【００１６】
【図１】本考案の実施形態に係る音声再生システム１の機能構成を示すブロック図である。なお、図１においては、識別体２６ａ〜２６ｊのうち識別体２６ａ〜２６ｃを、区分文章音声データ５６ａ〜５６ｊのうち、区分文章音声データ５６ａ〜５６ｃを選択的に図示している。
【図２】本考案の実施形態に係るインデックスブック１０のページ構成例を示す平面図である。
【図３】本考案の実施形態に係るコンテンツブロック１１（１１Ａ）の拡大平面図である。
【図４】本考案の実施形態に係るドットコードＣの拡大図である。
【考案を実施するための形態】
【００１７】
以下、本考案の実施形態について、図面を参照して説明する。
図１は、本考案の実施形態に係る音声再生システム１の機能構成を示すブロック図である。
図１に示すように、音声再生システム１は、冊子状に構成されたインデックスブック（指示具）１０とペン型に構成されたスキャナ型音声ペン（再生器）５０とを備えている。
【００１８】
インデックスブック１０は、比較的に薄型かつ小型の冊子状となっており、複数の文学作品（体系的な文章）が収録されている。
【００１９】
図２は、インデックスブック１０のページ構成例を示す平面図である。
図２に示すように、インデックスブック１０の一ページには、ブロック状となった二つのコンテンツブロック１１（１１Ａ，１１Ｂ）が印刷されている。このコンテンツブロック１１（１１Ａ，１１Ｂ）は、それぞれに文学作品が一つ割り当てられている。図２に示す例では、コンテンツブロック１１Ａに文学作品の「吾輩は猫である」が、コンテンツブロック１１Ｂに文学作品の「走れメロス」が割り当てられている。
【００２０】
各コンテンツブロック１１は、上部と中央左側に配設されて、そのコンテンツブロック１１に割り当てられた文学作品の書誌的事項を表示する書誌表示部１２と、中央右側と下部に配設されて、スキャナ型音声ペン５０に対する再生指示機能を有する音声再生指示部２０とを有している。
【００２１】
図３は、コンテンツブロック１１（１１Ａ）の拡大平面図である。
図３に示すように、書誌表示部１２は、挿絵欄１３と、表題欄１４と、著者欄１５と、概略表示欄１６とを備えている。
【００２２】
挿絵欄１３は、コンテンツブロック１１のうち上部左側の部位に配設されており、意匠的効果と表題の把握の促進とを図ったものである。図３の例では、コンテンツブロック１１Ａに割り当てられた「吾輩は猫である」の主人公である猫の抽象画が挿絵として描画されている。
【００２３】
表題欄１４は、コンテンツブロック１１のうち上部中央から右側に亘って配設されており、そのコンテンツブロック１１に割り当てられた文学作品の表題を表示している。図３の例では、コンテンツブロック１１Ａに割り当てられた「吾輩は猫である」の表題が表示されている。
【００２４】
著者欄１５は、コンテンツブロック１１のうち表題欄１４の下部に配設されており、そのコンテンツブロック１１に割り当てられた文学作品の著者名を表示している。図３の例では、コンテンツブロック１１Ａに割り当てられた「吾輩は猫である」の著者名である「夏目漱石」が表示されている。
【００２５】
概略表示欄１６は、コンテンツブロック１１のうち中央左側に配設されており、そのコンテンツブロック１１に割り当てられた文学作品のあらすじや概略が記載されている。図３の例では、コンテンツブロック１１Ａに割り当てられた表題の「吾輩は猫である」の概略が表示されている。
【００２６】
図３に示すように、音声再生指示部２０は、インデックス一覧部２１と、識別体一覧部２５と、示唆情報２８（２８ａ〜２８ｊ）とを備えている。
【００２７】
インデックス一覧部２１は、コンテンツブロック１１のうち中央左側に配設されており、複数のインデックス２２（２２ａ〜２２ｊ）が五行二列に一覧表示されてなる。
インデックス２２（２２ａ〜２２ｊ）は、そのコンテンツブロック１１に割り当てられた文学作品の区分文章の内容をそれぞれ指標する。
【００２８】
ここで、区分文章とは、そのコンテンツブロック１１に割り当てられた文学作品を複数に区分けしたものである。具体的には、複数に区分けして章立て（チャプター分け）したものである。
各区分文章は、人間が音声を比較的に集中して聴くことができる平均的な時間を基準に基づいて区分けされている。より具体的には、各区分文章を読み上げた場合に、人間が集中して聴くことができる平均的な時間（１０分〜２０分）内に収まるように、文章量が定められている。
本実施形態においては、上記基準を満たす文章量毎に、作品冒頭から順々に全十章に区分けしている。そして、各章の章番号と項目名とが併記されることにより、それぞれインデックス２２ａ〜２２ｊが構成されている。
【００２９】
図３に示すように、識別体一覧部２５は、コンテンツブロック１１のうち下部に配設されており、複数の識別体２６（２６ａ〜２６ｊ）が二行五列に一覧表示されてなる。
識別体２６ａ〜２６ｊは、それぞれインデックス２２ａ〜２２ｊと対となって設けられている。各識別体２６（２６ａ〜２６ｊ）は、方形に形成された窓部２７に微小なドットコードＣが多数印刷されてなる。
【００３０】
図４は、ドットコードＣの拡大図である。
ドットコードＣは、微小なドットにより構成される二次元コードであり、１．３ｍｍ四方に区画された領域（セル）に配置される５×５個のドットがデータ単位となっている。
【００３１】
このような二次元コードは、図４に示すように、各窓部２７内において、互いに隣接するように升目状に多数配置されていると共に、５×５個のドットの位置が全て同一となっている。例えば、識別体２６ａにおけるドットコードＣは、５×５個のドットの位置が全て同一となっている。
このドットコードＣは、領域Ｃ１に配列されるドットが他のドットコードＣとの境界を示し、領域Ｃ２のドット表示パターンが識別情報となっている。すなわち、識別体２６（２６ａ〜２６ｊ）毎に、ドットコードＣの領域Ｃ２のドット表示パターンが異なっており、他の識別体２６（２６ａ〜２６ｊ）に付与されたドットコードＣと識別されるようになっている。例えば、識別体２６ａにおけるドットコードＣの領域Ｃ２のドット表示パターンは、他の識別体２６ｂ〜２６ｊにおけるドットコードＣの領域Ｃ２のドットパターンと異なっている。
【００３２】
図３に戻って、示唆情報２８（２８ａ〜２８ｊ）は、対となったインデックス２２（２２ａ〜２２ｊ）と識別体２６（２６ａ〜２６ｊ）とを示唆する。例えば、示唆情報２８ａは、インデックス２２ａと同一の章番号からなり、インデックス２２ａと対となった識別体２６ａの上部に配設されて、インデックス２２ａと対となった識別体２６ａを示唆する。
【００３３】
図１に戻って、スキャナ型音声ペン５０は、読取部５１と、記憶部５２と、音声再生部５３と、制御部５４とを有している。
【００３４】
読取部５１は、ペン型に形成された筺体先端から赤外線Ｉを照射して、識別体２６のドットコードＣを読み取るものであり、読み取った識別情報を制御部５４に供給する。この記憶部５２は、スキャナ型音声ペン５０に脱着可能に構成されたメモリーカードからなっている。
【００３５】
記憶部５２は、各区分文章の音声データである区分文章音声データ５６（５６ａ〜５６ｊ）を記憶している。各区分文章音声データ５６は、声優の音声をデジタル化したデータである。なお、図１においては、区分文章音声データ５６ａ〜５６ｊのうち、区分文章音声データ５６ａ〜５６ｃを図示している。
【００３６】
区分文章音声データ５６（５６ａ〜５６ｊ）は、複数のインデックス２２（２２ａ〜２２ｊ）にそれぞれ指標され、かつ、各インデックス２２（２２ａ〜２２ｊ）に対となった識別体２６（２６ａ〜２６ｊ）にそれぞれ対応付けられている。具体的には、識別体２６（２６ａ〜２６ｊ）のドットコードＣの識別情報にそれぞれ対応付けられている。
【００３７】
音声再生部５３は、制御部５４から供給された区分文章音声データ５６（５６ａ〜５６ｊ）に基づいて、区分文章の音声を再生する。
【００３８】
制御部５４は、読取部５１より識別情報が供給されると、記憶部５２を照合して、供給された識別情報と一致する区分文章音声データ５６（５６ａ〜５６ｊ）を判定し、判定した区分文章音声データ５６（５６ａ〜５６ｊ）を音声再生部５３に供給する。
【００３９】
次に、上述した構成からなる音声再生システム１の作用について、図を用いて説明する。
まず、図２に示すように、使用者が書誌表示部１２を参考にすることにより、所望する文学作品を一つ選択する。
次に、図３に示すように、インデックス一覧部２１を視認し、インデックス２２（２２ａ〜２２ｊ）の全体構成を把握する。
【００４０】
次に、使用者が聴きたい章を示すインデックス２２（２２ａ〜２２ｊ）を確認・特定する。例えば、使用者が第二章の再生を所望する場合には、インデックス２２ｂに基づいて、第二章の章番号と項目名とで所望する章であるか否かを確認・特定する。
【００４１】
次に、確認・特定したインデックス２２（２２ａ〜２２ｊ）に対となった識別体２６（（２６ａ〜２６ｊ）を選択する。具体的には、インデックス２２（２２ａ〜２２ｊ）に対となった識別体２６（２６ａ〜２６ｊ）に対して、スキャナ型音声ペン５０の先端を近接させることにより、識別体２６（２６ａ〜２６ｊ）を選択する。例えば、使用者が第二章を所望する場合には、インデックス２２ｂと対をなす識別体２６ｂに対してスキャナ型音声ペン５０の先端を近接させる。
【００４２】
この際、示唆情報２８（２８ａ〜２８ｊ）を有しているため、対となったインデックス２２（２２ａ〜２２ｊ）と識別体２６（２６ａ〜２６ｊ）とが明確に認識される。例えば、インデックス２２ｂを構成する章番号「第二章」が、このインデックス２２ｂと対となった識別体２６ｂの上部に近接表示されているために、インデックス２２ｂと識別体２６ｂとが対となっていることが明確に認識される。
【００４３】
読取部５１は、図１に示すように、スキャナ型音声ペン５０の先端から赤外線Ｉを照射することにより、識別体２６（２６ａ〜２６ｊ）が有するドットコードＣを読み取り、この読取情報を制御部５４に供給する。例えば、識別体２６ｂに対してスキャナ型音声ペン５０の先端が近接した場合には、読取部５１は、識別体２６ｂが有するドットコードＣを読み取り、この識別情報を制御部５４に供給する。
【００４４】
制御部５４は、読取部５１から供給された識別体２６ａの識別情報に対応する区分文章音声データ５６（５６ａ〜５６ｊ）を判定し、この判定した区分文章音声データ５６（５６ａ〜５６ｊ）を音声再生部５３に供給する。例えば、読取部５１から識別体２６ｂの識別情報が供給された場合には、この識別情報に対応付けされた区分文章音声データ５６ｂを判定し、この判定した区分文章音声データ５６ｂを音声再生部５３に供給する。
【００４５】
音声再生部５３は、制御部５４から供給された区分文章音声データ５６（５６ａ〜５６ｊ）に基づいて、区分文書の音声を再生する。例えば、制御部５４から区分文章音声データ５６ｂが供給されると、第二章の音声を再生する。この際、第二章の音声は、１０〜２０分の間に亘って再生される。
【００４６】
以上説明したように、本音声再生システム１によれば、インデックスブック１０が、章区分文章をそれぞれ指標する複数のインデックス２２（２２ａ〜２２ｊ）と、各インデックス２２（２２ａ〜２２ｊ）に対となって設けられた複数の識別体２６（２６ａ〜２６ｊ）とを備え、スキャナ型音声ペン５０が、読み取った識別体２６（２６ａ〜２６ｊ）に対応付けられた区分文章の音声を再生するので、インデックス２２（２２ａ〜２２ｊ）の指標に基づいて使用者が所望の章を直感的に判断することができ、この判断による選択動作としてインデックス２２（２２ａ〜２２ｊ）と対となった識別体２６（２６ａ〜２６ｊ）を読取部５１で読み取ることで、所望の区分文章が即時に音声で再生されることとなる。これにより、簡単かつ直感的な操作で、所望の区分文章の音声を迅速に聴くことができる。
【００４７】
また、書誌表示部１２を備えるので、文学作品の内容を明確に認識することができる。
また、対となったインデックス２２（２２ａ〜２２ｊ）と識別体２６（２６ａ〜２６ｊ）とを示唆する示唆情報２８（２８ａ〜２８ｊ）を有するので、対となったインデックス２２（２２ａ〜２２ｊ）と識別体２６（２６ａ〜２６ｊ）とを明確に認識することができる。
【００４８】
また、複数のインデックス２２（２２ａ〜２２ｊ）が一覧になったインデックス一覧部２１を備えるので、複数のインデックス２２（２２ａ〜２２ｊ）の全体構成を容易に把握することができ、所望の区分文章を直感的に確認・特定することができる。
【００４９】
また、複数の識別体２６（２６ａ〜２６ｊ）の配置構成を使用者が容易に把握することができ、識別体２６（２６ａ〜２６ｊ）の選択動作がさらに容易になる。
【００５０】
また、スキャナ型音声ペン５０が複数の文学作品の各区分文章音声データ５６（５６ａ〜５６ｊ）を記憶しており、インデックスブック１０が、インデックス２２（２２ａ〜２２ｊ）と、識別体２６（２６ａ〜２６ｊ）と、書誌表示部１２とを文学作品毎に区画しているので、簡単かつ直感的な操作で、複数の文学作品を聴覚により認識することができる。
【００５１】
また、記憶部５２が脱着可能に構成されたメモリーカードからなっているので、記憶部５２を交換することにより、該交換した記憶部５２と対応するインデックスブックを読み取ることにより、他の文学作品を楽しむことができる。
【００５２】
また、識別体２６（２６ａ〜２６ｊ）としてドットコードＣを用いるので、識別情報を多くすることができると共に、ドットコードＣを目立たないように用いて意匠的効果を高めることができる。
【００５３】
また、区分文章音声データ５６（５６ａ〜５６ｊ）が、音声の再生時間が１０〜２０分となるように設定されているので、各区分文章の音声を使用者が集中して聞くことができる。
【００５４】
なお、上述した実施の形態において示した動作手順、あるいは各構成部材の諸形状や組み合わせ等は一例であって、本考案の主旨から逸脱しない範囲において設計要求等に基づき種々変更可能である。
例えば、上述した実施の形態においては、複数の文学作品を音声再生する場合について本考案を適用したが、体系的な文章であれば、論文や詩、歌詞等に本考案を適用してもよい。
【００５５】
また、上述した実施の形態においては、対となるインデックス２２（２２ａ〜２２ｊ）と識別体２６（２６ａ〜２６ｊ）とを示唆する示唆情報２８（２８ａ〜２８ｊ）を用いる構成としたが、対となるインデックス２２（２２ａ〜２２ｊ）と識別体２６（２６ａ〜２６ｊ）とを明確に認識することができれば、必ずしも示唆情報２８を設ける必要はない。
例えば、対となるインデックス２２と識別体２６とを相互に近接した位置に並列的に記載したり、インデックス２２と識別体２６とを重ねれば、対となるインデックス２２と識別体２６とが明確に把握されるため、示唆情報２８を設ける必要はない。
【００５６】
また、上述した実施の形態においては、インデックス２２（２２ａ〜２２ｊ）を、各区分情報の詳細を表示することによって構成したが、各インデックスを文字や数字のみで簡略的に構成しても構わない。具体的には、インデックスを、区分情報の順番に対応した数字としたり、最後の区分情報を「ラスト」としても構わない。さらに、この数字や文字のみのインデックスを識別体に重ねて表示することにより、示唆情報を省略することができる。
【００５７】
また、上述した実施の形態においては、示唆情報２８（２８ａ〜２８ｊ）を文字情報（章番号）としたが、例えば、各インデックス２２（２２ａ〜２２ｊ）の色彩をそれぞれ異なるものとし、識別体２６（２６ａ〜２８６ｊ）の色彩を、対をなすインデックス２２の色彩と同一にして対応関係をとることで、両者が対のものであることを示唆することができる。なお、この場合は、インデックス２２の章番号の表記を省略することが可能である。
【００５８】
また、上述した実施の形態においては、区分文章を１０〜２０分の間で読み上げることができる文章量としたが、人間が比較的に集中力を発揮することができる５〜６０分の間で読み上げることができる文章量を設定してもよい。
【００５９】
また、上述した実施の形態では、識別体２６（２６ａ〜２６ｊ）がドットコードＣを有する構成としたが、他の二次元コードであってもよいし、一次元コードやＩＣタグ等を用いてもよい。なお、識別体の構成に合わせて読取部の構成を変更するのは、当然である。
【符号の説明】
【００６０】
１…音声再生システム
１０…インデックスブック（指示器）
１１（１１Ａ，１１Ｂ）…コンテンツブロック
１２…書誌表示部
２１…インデックス一覧部
２２（２２ａ〜２２ｊ）…インデックス
２５…識別体一覧部
２６（２６ａ〜２６ｊ）…識別体
２８（２８ａ〜２８ｊ）…示唆情報
５０…スキャナ型音声ペン
５１…読取部
５２…記憶部
５３…音声再生部
５４…制御部
５６（５６ａ〜５６ｊ）…区分文章音声データ
【図１】
0003156332.tif 000003
【図２】
0003156332.tif 000004
【図３】
0003156332.tif 000005
【図４】
0003156332.tif 000006